(57)【要約】【課題】複数のトレイと、前記複数のトレイのいずれか１つのトレイと共に引き出し可能な、上流側に接続された装置から送られた用紙を下流側に接続された装置に送る搬送部とを有する給紙装置において、該給紙装置の下流に接続された装置から送られた停止信号を認識したときに、前記搬送部により搬送されている用紙を、前記搬送部の搬送路内の予め定める停止位置にて停止させた後に動作を停止する給紙装置を実現すること。【解決手段】トレイに載置された用紙を下流側に接続された装置に搬送する第１の搬送部と、上流側に接続された装置から送られた用紙を、下流側に送る第２の搬送部とを有する給紙装置において、該給紙装置の下流側に接続された装置から送られた停止信号を認識したときに、第２の搬送部により搬送されている用紙を、予め定める停止位置まで搬送した後に、該給紙装置の動作を停止させる制御手段を有することを特徴とする給紙装置。【選択図】図４
2009126637.tif 000002
【特許請求の範囲】
【請求項１】
複数のトレイに載置された用紙を下流側に接続された装置に搬送する第１の搬送部と、上流側に接続された装置から送られた用紙を、下流側に接続された装置に搬送する第２の搬送部とを有する給紙装置において、
前記第２の搬送部は、前記複数のトレイのうち、いずれか一つのトレイと共に引き出し可能に構成されており、
該給紙装置の下流側に接続された装置から送られた停止信号を認識したときに、前記第２の搬送部により搬送されている用紙を、前記第２の搬送部の搬送路内の予め定める停止位置まで搬送した後に、該給紙装置の動作を停止させる制御手段を有することを特徴とする給紙装置。
【請求項２】
前記第１及び第２の搬送部は、前記用紙を後退させる機構を有することを特徴とする請求項１に記載の給紙装置。
【請求項３】
前記第２の搬送部の搬送路の長さが、搬送する用紙の搬送方向の最大長よりも長いことを特徴とする請求項１又は２に記載の給紙装置。
【請求項４】
前記制御手段は、該給紙装置の下流側に接続された装置から送られた停止信号を認識したときに、前記第２の搬送部によって搬送されている用紙の位置情報と、用紙のサイズ情報とを基に、搬送中の前記用紙の搬送方向と停止位置を決定することを特徴とする請求項１乃至３のいずれか１項に記載の給紙装置。
【請求項５】
前記制御手段は、前記第２の搬送部の搬送路内に、搬送中の用紙が収容されるように用紙の停止位置を決定することを特徴とする請求項４に記載の給紙装置。
【請求項６】
前記制御手段は、該給紙装置の下流側に接続された装置から送られた停止信号を認識したときに、前記第２の搬送部の搬送路内に用紙が存在しない場合、又は、前記第２の搬送部の搬送路内にさらなる用紙を収容できることが判明した場合、該給紙装置への用紙の送り込みを許可する情報を上流に接続された装置に送ることを特徴とする請求項１乃至５に記載の給紙装置。
【発明の詳細な説明】
【技術分野】
【０００１】
本発明は、高速の複写機、プリンタ等の画像形成装置に用紙を供給する給紙装置に関する。
【背景技術】
【０００２】
高速の画像形成装置の上流側と下流側に、給紙装置や後処理装置を直線的に並べ連結させた画像形成システム（例えば、特許文献１参照。）が、軽印刷分野で多用されている。
【０００３】
このような画像形成システムにおいては、使用される用紙の使用量が多いことから、また、システムの動作を停止させずに用紙の補充が行えるようにすることから、複数台の給紙装置が連結される場合が多い。
【０００４】
連結される給紙装置は各々、用紙を載置するトレイを複数段備え、それらのトレイは、用紙の補給作業のために手前に引き出すことができるように構成されている。
【０００５】
また、複数台の給紙装置を連結して使用できるようにするために、各給紙装置は、自身のトレイから下流側に接続されている装置に用紙を送り出す搬送部（第１の搬送部）以外に、上流側に接続されている給紙装置から送られた用紙を、そのまま下流側に接続された装置に送る搬送部（第２の搬送部）を備えている。
【０００６】
しかし、この様な第２の搬送部を複数のトレイの間に独立して設けると（例えば、特許文献２参照。）、そのための大きなスペース確保は必要となり、また、搬送部を独立して引き出す機構を設ける必要があることから、装置のコストアップにつながる恐れも出てくる。
【０００７】
このような問題を軽減するために、第２の搬送部を一つのトレイと一体化して、トレイと共に引き出し可能にする構成が考えられる。
【０００８】
しかしながら、連結されている複数の装置のいずれかに不都合が発生し、用紙の搬送が停止されたときに、トレイの引き出しができない位置で用紙が停止してしまう場合、例えば装置の連結部にまたがって停止してしまう場合がある。
【０００９】
このような状態から画像形成システムを正常な状態に戻すための復旧作業は、面倒なものであり、復旧時間を長引かせる原因となる。
【特許文献１】特開２００３−２６１２４０号公報
【特許文献２】特開２００５−３７８２号公報
【発明の開示】
【発明が解決しようとする課題】
【００１０】
本発明は、上述したような状況に鑑みてなされたもので、その目的は、引き出し可能な複数のトレイと、前記複数のトレイのいずれか１つのトレイと共に引き出し可能な、上流側に接続された装置から送られた用紙を下流側に接続された装置に送る搬送部とを有する給紙装置において、
該給紙装置の下流側に接続された装置から送られた停止信号、例えば、画像形成装置又は後処理装置でのジャム発生や動作不良により送られた停止信号を認識したときに、前記搬送部により搬送されている用紙を、前記搬送部の搬送路内の予め定める停止位置にて停止させ、トレイと搬送部の引き出しを可能な状態にした後に動作を停止する給紙装置を実現することにある。
【課題を解決するための手段】
【００１１】
上記課題は、以下の発明を実現することにより達成される。
１．複数のトレイに載置された用紙を下流側に接続された装置に搬送する第１の搬送部と、上流側に接続された装置から送られた用紙を、下流側に接続された装置に搬送する第２の搬送部とを有する給紙装置において、
前記第２の搬送部は、前記複数のトレイのうち、いずれか一つのトレイと共に引き出し可能に構成されており、
該給紙装置の下流側に接続された装置から送られた停止信号を認識したときに、前記第２の搬送部により搬送されている用紙を、前記第２の搬送部の搬送路内の予め定める停止位置まで搬送した後に、該給紙装置の動作を停止させる制御手段を有することを特徴とする給紙装置。
２．前記第１及び第２の搬送部は、前記用紙を後退させる機構を有することを特徴とする１項に記載の給紙装置。
３．前記第２の搬送部の搬送路の長さが、搬送する用紙の搬送方向の最大長よりも長いことを特徴とする１又は２項に記載の給紙装置。
４．前記制御手段は、該給紙装置の下流側に接続された装置から送られた停止信号を認識したときに、前記第２の搬送部によって搬送されている用紙の位置情報と、用紙のサイズ情報とを基に、搬送中の前記用紙の搬送方向と停止位置を決定することを特徴とする１乃至３項のいずれか１項に記載の給紙装置。
５．前記制御手段は、前記第２の搬送部の搬送路内に、搬送中の用紙が収容されるように用紙の停止位置を決定することを特徴とする４項に記載の給紙装置。
６．前記制御手段は、該給紙装置の下流側に接続された装置から送られた停止信号を認識したときに、前記第２の搬送部の搬送路内に用紙が存在しない場合、又は、前記第２の搬送部の搬送路内にさらなる用紙を収容できることが判明した場合、該給紙装置への用紙の送り込みを許可する情報を上流に接続された装置に送ることを特徴とする１乃至５項に記載の給紙装置。
【発明の効果】
【００１２】
本発明による給紙装置は、該給紙装置の下流側に接続された装置から送られた停止信号を認識したときに、前記搬送部により搬送されている用紙を、前記搬送部の搬送路内の予め定める停止位置にて停止させる。
【００１３】
このような停止位置の制御によって、該給紙装置と該給紙装置に接続されている装置との連結部で用紙が停止することが防止され、トレイと搬送部の引き出しが可能な状態となる。
【００１４】
従って、下流側に接続されている装置にジャムや動作不良等の不都合が発生した場合、該給紙装置の上流側に接続された給紙装置から搬送部送り込まれた用紙を容易に除去することが可能になり、画像形成システムの動作再開までの復旧時間が短縮される。
【発明を実施するための最良の形態】
【００１５】
以下、本発明の実施の形態例を図を基に説明する。
【００１６】
図１は、画像形成システムの概念図である。
【００１７】
図に示す画像形成システムは、画像形成装置Ｇを中心にして、その上流に給紙装置Ｓ１、Ｓ２、下流に後処理装置Ｆ１、Ｆ２を連結したシステムである。
【００１８】
画像形成装置Ｇは、自身の給紙トレイＰＧ１、ＰＧ２、ＰＧ３又は、複数の給紙トレイを有する給紙装置Ｓ１、Ｓ２から送られた用紙Ｐにトナー画像を形成して、後処理装置Ｆ１に送り出す。
【００１９】
後処理装置Ｆ１は、画像形成装置Ｇから送られた用紙Ｐに折り曲げ処理を施す公知の装置であり、後処理装置Ｆ２は、後処理装置Ｆ１から送られた用紙Ｐに綴じ処理を施す公知の装置である。
【００２０】
なお、画像形成システムを構成する画像形成装置の種類や台数、連結される後処理装置または給紙装置の種類や台数は、画像形成装置の使用目的によって、適宜に決定されるものである。
【００２１】
図２は、画像形成システムの制御関係を示すブロック図である。
【００２２】
画像形成システムを構成する各装置、即ち、画像形成装置Ｇ、後処理装置Ｆ１、Ｆ２、給紙装置Ｓ１、Ｓ２の各制御部ＣＧ、ＣＦ１、ＣＦ２、ＣＳ１、ＣＳ２は、ＣＰＵ、メモリＭ、Ｉ／Ｏポート、通信用インターフェイス、各部及び各手段を駆動制御するための回路を有するコンピュータシステムである。
【００２３】
各制御部は、自身のメモリに格納しているプログラムを実行することにより所定の制御を行う。また、各制御部は通信手段ＴＲを介して相互の情報交換ができるように構成されている。
【００２４】
また、画像形成システムは、他の情報処理機器ＰＣと通信ネットワークＮＴを介して接続され、相互の情報交換ができる。
【００２５】
なお、本図では、本発明の説明に直接関係しないブロックについては記載が省略されている。
【００２６】
図３は、画像形成装置Ｇの概念図である。
【００２７】
図に例示したカラー画像形成装置Ｇは、複数の感光体３１Ｙ、Ｍ、Ｃ、Ｋを一本の中間転写ベルト４１に対面させて縦列に配列し、フルカラーの画像を形成するタンデム型カラー画像形成装置と称されるものである。
【００２８】
このカラー画像形成装置Ｇは、その上部に自動原稿送装置ＡＤＦを備えている。
【００２９】
自動原稿送り装置ＡＤＦの原稿載置台１０３に載置された原稿Ｄは、一枚ずつに分離され原稿搬送路に送り出され、搬送ドラム１０２により搬送される。
【００３０】
搬送中の原稿Ｄの画像は原稿画像読み取り位置ＲＰにて原稿読取部１により、読み取りがなされる。読み取りが終了した原稿Ｄは第１搬送ガイドＧ１、および原稿排出ローラ１０５により原稿排紙台１０７に排出される。
【００３１】
画像形成装置Ｇは、原稿読取部１、露光部２Ｙ、２Ｍ、２Ｃ、２Ｋ、画像形成部３Ｙ、３Ｍ、３Ｃ、３Ｋ、中間転写部４、定着部５、反転排紙部６、再給紙部７、給紙部８、制御部Ｃ等から構成され、それらが一つの筐体内に収められている。
【００３２】
原稿読取部１は、原稿読取り位置ＲＰにて原稿の画像をランプＬにて照射し、その反射光を第１ミラーユニット１１、第２ミラーユニット１２、レンズ１３によって導き、撮像素子ＣＣＤの受光面に結像させる。
【００３３】
撮像素子ＣＣＤにより光電変換された画像信号は、画像読取制御部１４にてＡ／Ｄ変換、シェーディング補正、圧縮等の処理がなされ、制御部ＣＧのメモリＭに画像データとして格納される。
【００３４】
メモリＭに格納された前記画像データには、ユーザにより設定されている条件により適宜な画像処理が施されて、出力画像データが生成される。
【００３５】
露光部２Ｙ、２Ｍ、２Ｃ、２Ｋは、レーザ光源、ポリゴンミラー、複数のレンズ等から構成され、レーザビームを生成する。
【００３６】
前記露光部２Ｙ、２Ｍ、２Ｃ、２Ｋは、制御部Ｃから送られる前記出力画像データを基に出力される出力情報に対応して、画像形成部３Ｙ、３Ｍ、３Ｃ、３Ｋの構成要素である感光体３１Ｙ、３１Ｍ、３１Ｃ、３１Ｋの表面をレーザビームにより走査露光する。
【００３７】
前記レーザビームの走査露光により、感光体３１Ｙ、３１Ｍ、３１Ｃ、３１Ｋには潜像が形成される。
【００３８】
画像形成部３Ｙは、感光体３１Ｙと、その周辺に配置されている、主帯電部３２Ｙ、現像部３３Ｙ、第１転写ローラ３４Ｙ、クリーニング部３５Ｙからなる。感光体３１Ｍ、３１Ｃ、３１Ｋについても同様である。
【００３９】
感光体３１Ｙ、３１Ｍ、３１Ｃ、３１Ｋ上の潜像は、対応する現像部３３Ｙ、３３Ｍ、３３Ｃ、３３Ｋにより現像されて、各感光体上にはトナー画像が形成される。
【００４０】
感光体３１Ｙ、３１Ｍ、３１Ｃ、３１Ｋ上に形成された前記トナー画像は中間転写手段４の第１転写ローラ３４Ｙ、３４Ｍ、３４Ｃ、３４Ｋにより、中間転写体である中間転写ベルト４１上の所定位置に逐次転写される。
【００４１】
トナー画像の転写を終えた感光体の表面はクリーニング部３５Ｙ、Ｍ、Ｃ、Ｋによって残留トナーが除去される。
【００４２】
一方、前記中間転写ベルト４１上に転写された前記トナー画像は、給紙部８から給紙され、給紙ローラ８１によって給紙のタイミングが取られて給送されてきた転写材である用紙Ｐに、第２転写ローラ４２によって転写される。
【００４３】
トナー画像の用紙Ｐへの転写を終えた中間転写ベルト４１はベルトクリーニング部４３により、表面が清掃され、次の画像転写に供される。
【００４４】
一方、トナー画像を担持した用紙Ｐは、定着部５に送られ、加圧加熱されることによって、トナー画像が用紙Ｐへ定着される。
【００４５】
定着部５による定着処理を終えた用紙Ｐは排紙反転部６により搬送され、排紙台６１に排紙される。用紙Ｐを表裏反転して排紙する場合には、排紙ガイド６２にて、一旦、用紙Ｐを下方に導き、排紙反転ローラ６３に用紙Ｐの後端を挟持させた後、これを逆転をさせ、排紙ガイド６２により排紙ローラ６４に導き排紙する。
【００４６】
なお、用紙Ｐの裏面にも画像形成を行う場合には、表面の画像定着を終えた用紙Ｐを排紙ガイド６２により下方にある再給紙部７に搬送し、再給紙反転ローラ７１により後端を挟持させた後、逆送することによって用紙Ｐを反転させて、再給紙搬送路７２に送り出し、裏面への画像形成に供する。
【００４７】
図４は、給紙装置Ｓ１の概念図である。
【００４８】
給紙装置Ｓ１は、用紙Ｐが載置される複数のトレイＰＳ１、ＰＳ２、ＰＳ３、と用紙を搬送する搬送部とを備えている。
【００４９】
前記搬送部は、用紙Ｐを各トレイから給紙装置Ｓ１のに用紙排出口ＥＸに搬送する第１の搬送部１０１及び、上流に接続された給紙装置Ｓ２から送られた用紙Ｐを前記第１の搬送部１０１の搬送路の一部を介して前記用紙排出口ＥＸに搬送する第２の搬送部２０１から構成される。
【００５０】
なお、給紙装置Ｓ１の上流側に接続されている給紙装置Ｓ２は、給紙装置Ｓ１と異なり、上流側に接続される装置が無いことから、上流側の装置から送られた用紙Ｐを下流側の装置に送る第２の搬送路を備える必要はないが、給紙装置Ｓ１と同仕様のものとしても差し支えはない。
【００５１】
複数のトレイＰＳ１、ＰＳ２、ＰＳ３は、スライドレール１１１、１２１、１３１に沿って給紙装置Ｓ１の本体から図の手前に引き出し可能に設けられている。
【００５２】
前記第２の搬送部２０１はは最上段に位置するトレイＰＳ１の下部に取り付けられ、トレイＰＳ１と一体となって引き出される。
【００５３】
なお、前記第２の搬送部２０１と一体化されるトレイは、トレイＰＳ１に限定されるものではなく、他のトレイもよい。これらは画像形成システム、又は給紙装置の設計時に決定されるものである。
【００５４】
前記第１の搬送部１０１は、図に示すように、各トレイから取り出された用紙Ｐを用紙排出口ＥＸに搬送する用紙搬送手段である。
【００５５】
また、図に示すように、搬送部１０１の一部は、前記第２の搬送部２０１により搬送されてきた用紙Ｐを受容して、用紙排出口ＥＸに搬送する機能も兼ね備えている。
【００５６】
図５は、給紙装置Ｓ１の第２の搬送部２０１を説明する図である。
【００５７】
上流側の給紙装置Ｓ２から送られた用紙Ｐは、ローラーとガイド部材からなる用紙受け入れ部３０１によって、第２の搬送部２０１に送られる。
【００５８】
第２の搬送部２０１は、複数のローラーとガイド部材からなり、ローラーはステッピングモーターを動力源とするローラー駆動手段２１０（図５に不図示、図８に図示）により回転する。
【００５９】
用紙Ｐの搬送と停止、及び搬送方向の制御は、前記ステッピングモータの回転と停止、及び回転方向を制御することにより行われる。
【００６０】
第２の搬送部２０１の搬送路の入口と出口には、用紙Ｐを検知する用紙検知センサＤ１、Ｄ２が設けられている。
【００６１】
制御部ＣＳ１は、前記用紙検知センサＤ１、Ｄ２から送られた検知信号と前記ステッピングモータの回転量とを基に、第２の搬送部２０１で搬送している用紙Ｐの先端、又は後端の位置を算出する。
【００６２】
なお、第２の搬送部２０１の搬送路の長さは、本画像形成システムが搬送する用紙Ｐの搬送方向の最大長よりも長くなるようにしてあるので、必要に応じ、用紙Ｐを第２の搬送部２０１中に収容することができる。
【００６３】
図の矢印Ｋは、用紙の先端がこの位置にあるときに、用紙Ｐを第２の搬送部２０１中に収容することができる予め定める停止位置である。
【００６４】
上述した構成により、用紙Ｐの先端が用紙検知センサＤ１を通過して、用紙検知センサＤ２を通過していない場合、用紙Ｐの先端を予め定める停止位置（矢印Ｋ）まで進行させて用紙の搬送を停止させることができる。
【００６５】
また、用紙Ｐの先端が用紙検知センサＤ２を通過して、後端が用紙検知センサＤ２を通過していない場合、用紙Ｐの搬送方向を逆転させ、通過した用紙Ｐの先端を予め定める停止位置（矢印Ｋ）まで戻して用紙Ｐの搬送を停止させることができる。
【００６６】
なお、第２の搬送部２０１の搬送方向が逆転した場合、第２の搬送部２０１から送られた用紙Ｐを用紙排出口ＥＸに送る第１の搬送部１０１の一部の搬送部は、第２の搬送部２０１の搬送方向に対応して逆転するように構成される。
【００６７】
図６は、給紙装置Ｓ１のトレイＰＳ１の引き出しを説明する図である。
【００６８】
図に示すように、トレイＰＳ１と第２の搬送部２０１は一体化して引き出される。この際、第２の搬送部２０１のローラーを駆動する駆動機構は切り離され本体側に残される。
【００６９】
図７は、第２の搬送部２０１の用紙除去機構を説明する図である。
【００７０】
第２の搬送部２０１は、搬送路の上下にガイド部材とローラーを設けて用紙を搬送する公知の技術手段であるが、本実施例の搬送部は、図に示すように搬送路の下方側のブロックが下方に開く機構を備えている。
【００７１】
この機構を備えることによって、第２の搬送部２０１の搬送路内の用紙はもちろんのこと、第２の搬送部２０１の上流側又は下流側の搬送路に停止している用紙Ｐを容易に取り除くことができる。
【００７２】
図８は、給紙装置Ｓ１の制御関係を説明するブロック図である。また、図９は、給紙装置Ｓ１の動作停止処理の流れを示すフローチャートである。
【００７３】
給紙装置Ｓ１の制御部ＣＳ１が、通信手段ＴＲを介して、下流側に接続された装置から送られた停止信号を受信すると（ステップＳ１）、第２の搬送部が用紙Ｐを搬送している状態にあるか否かが判定される（ステップＳ２）。
【００７４】
なお、上記判定は、用紙検知センサＤ１、Ｄ２から送られる検知信号と、ローラー駆動手段２１０のステッピングモーターの回転量を基になされる。
【００７５】
もし、用紙Ｐを搬送している途中であれば（ステップＳ２：Ｙ）、用紙Ｐの先端が予め設定した停止位置を通過したか否かが判定される（ステップＳ３）。
【００７６】
既に図５にて説明したように、予め設定した位置とは、上流側に接続される給紙装置Ｓ２から送られる用紙の中の搬送方向が最大長の用紙の先端がこの位置にあるとき、該用紙Ｐの後端が給紙装置Ｓ１の第２の搬送部２０１の搬送路内に収まる位置である。
【００７７】
即ち、先端がこの予め設定した位置にくるように用紙Ｐを停止させ、図７で説明した機構により、容易に第２の搬送部２０１から除去することができるようにするための構成である。
【００７８】
もし、用紙Ｐの先端が予め設定した停止位置を通過していたならば（ステップＳ３：Ｙ）、搬送部２０１の搬送方向を逆転させて（ステップＳ４）、通過した用紙Ｐの先端を予め設定した停止位置まで戻し（ステップＳ５）、給紙装置Ｓ１の動作を停止させる（ステップＳ６）。
【００７９】
もし、用紙Ｐの先端が予め設定した停止位置を通過していなかったならば（ステップＳ３：Ｎ）、用紙Ｐの先端を予め設定した停止位置まで送り（ステップＳ５）、給紙装置Ｓ１の動作を停止させる（ステップＳ６）。
【００８０】
第２の搬送部２０１が、用紙Ｐを搬送していない場合（ステップＳ２：Ｎ）、上流側の給紙装置Ｓ２が、給紙装置Ｓ１に向けて用紙Ｐを送っている状態か否かが判定される（ステップＳ７）。
【００８１】
もし、給送中であれば（ステップＳ７：Ｙ）、送られてくる用紙Ｐを受けいれ、用紙Ｐの先端を予め設定した停止位置まで送り（ステップＳ５）、給紙装置Ｓ１の搬送動作を停止させる（ステップＳ６）。
【００８２】
もし、給送中でなければ（ステップＳ７：Ｎ）、直ちに、給紙装置Ｓ１の搬送動作を停止させ（ステップＳ６）、ルーチンを出る。
【００８３】
以上説明したように、本発明による給紙装置は、下流側に接続された装置から送られた停止信号を認識したときに、前記搬送部により搬送されている用紙を、前記搬送部の搬送路内の予め定める停止位置にて停止させる。
【００８４】
このような停止位置の制御によって、該給紙装置と該給紙装置に接続されている装置との連結部で用紙が停止することが防止され、トレイと搬送部の引き出しが可能な状態となり、搬送部の用紙の除去を容易に行うことができるようになる。
【００８５】
また、下流側に接続されている装置にジャムや動作不良等の不都合が発生した場合、該給紙装置の上流側に接続された給紙装置から搬送部に送り込まれた用紙を容易に除去することも可能になる。
【図面の簡単な説明】
【００８６】
【図１】画像形成システムの概念図である。
【図２】画像形成システムの制御関係を示すブロック図である。
【図３】画像形成装置の概念図である。
【図４】給紙装置の概念図である。
【図５】給紙装置の第２の搬送部を説明する図である。
【図６】給紙装置のトレイの引き出しを説明する図である。
【図７】第２の搬送部の用紙除去機構を説明する図である。
【図８】給紙装置の制御関係を説明するブロック図である。
【図９】給紙装置の動作停止処理の流れを示すフローチャートである。
【符号の説明】
【００８７】
ＣＳ１  給紙装置Ｓ１の制御部
Ｇ  画像形成装置
Ｐ  用紙
Ｓ１、Ｓ２  給紙装置
ＰＳ１、ＰＳ２、ＰＳ３  給紙装置Ｓ１のトレイ
１０１  第１の搬送部
２０１  第２の搬送部
【図１】
2009126637.tif 000003
【図２】
2009126637.tif 000004
【図３】
2009126637.tif 000005
【図４】
2009126637.tif 000006
【図５】
2009126637.tif 000007
【図６】
2009126637.tif 000008
【図７】
2009126637.tif 000009
【図８】
2009126637.tif 000010
【図９】
2009126637.tif 000011